(57)【要約】【課題】壁面に貼り付けたフレネルミラーの存在を気付かせる作用を高め、衝突防止や忘れ物防止などのミラー機能を十分発揮させる広角視野型のフレネルミラー組立体を提供する。【解決手段】壁面１３に広角視野型のフレネルミラー２を貼り付けるとともに、このフレネルミラー２の周縁部に可撓性の付属シート９を配置して壁面１３に貼り付けてフレネルミラー組立体１を構成し、この付属シート９の表面を有彩色にして、その表面に目玉１１を有する左右一対の目１０を図示して、それぞれの目玉１１をその目１０においてフレネルミラー２側に偏在させた。【選択図】  図１
2017090749.tif 000002
【特許請求の範囲】
【請求項１】
壁面に貼り付けられる広角視野型のフレネルミラーと、このフレネルミラーの周縁部に配置されて前記壁面に貼り付けられる可撓性の付属シートとを備えたフレネルミラー組立体であって、
前記付属シートの表面が有彩色であり、前記表面に目玉を有する左右一対の目が図示されると共に、それぞれの目の中において前記目玉が前記フレネルミラー側に偏在するフレネルミラー組立体。
【請求項２】
前記左右一対の目のそれぞれの大きさが、その目に対する外接円の大きさで前記フレネルミラーの最小幅の２０％以上１００％以下である請求項１に記載のフレネルミラー組立体。
【請求項３】
前記付属シートが前記フレネルミラーの全周を囲むように配置される請求項請求項１または２に記載のフレネルミラー組立体。
【請求項４】
前記付属シートが前記フレネルミラーの周縁部に沿って複数のシート片に分割される請求項３に記載のフレネルミラー組立体。
【請求項５】
前記フレネルミラーが四角形であり、前記付属シートが前記フレネルミラーの各辺に対応すると共に、その対応する辺の長さ以上の内縁長を有する４枚のシート片で構成される請求項４に記載のフレネルミラー組立体。
【発明の詳細な説明】
【技術分野】
【０００１】
本発明はフレネルミラー組立体に関し、さらに詳しくは、壁面に貼り付けたフレネルミラーの存在を気付かせる作用を高め、フレネルミラーが目的とする衝突防止や忘れ物防止などのミラー機能を十分に発揮させることができる広角視野型のフレネルミラー組立体に関する。
【背景技術】
【０００２】
凸面鏡は広角の視野が得られるため、交差路などに衝突防止手段として設置されている。しかし、凸面鏡の取り付けはアームで支持するように行うため、通路側に突出状態になる。そのため屋内通路に取り付けた場合、目線の高さでは通行の邪魔になり、目線より高い位置に取り付けた場合は、凸面鏡を見落とす一因になる。
【０００３】
広角視野型のフレネルミラーを使用すれば、このフレネルミラーは平面形状であるため、壁面に対して通路側に突出しないように面状に貼り付けられ、目線の高さ位置に取り付けても通行の邪魔にならない。このフレネルミラーは、屋内での衝突防止手段として使用されるばかりでなく、旅客航空機のビンの天井壁面に貼り付けて、手荷物の置き忘れ防止手段などとしても使用されている。
【０００４】
しかし、フレネルミラーは壁面に面状に貼り付けられるが故に、却って通行人等に気付かれ難くなっているという傾向がある。すなわち、通行人等がフレネルミラーの存在に気付かずに通り過ぎてしまい、Ｔ字路やＬ字路で通行人どうしが衝突したり、また旅客航空機のビンに手荷物を置き忘れたりすることがある。
【０００５】
従来、注意を喚起するために、縁部に注意文を書き込んだフレネルミラー知られている（例えば特許文献１参照）。この従来例に倣って、フレネルミラーの縁部に「衝突ご注意」や「忘れ物ご注意」などの警告文を表示する対策が考えられる。しかし、単にフレネルミラーに警告文を表示するだけでは、フレネルミラーの存在を通行人等に気づかせるには不十分であり、フレネルミラーが見落とされることがある。そのため、フレネルミラーが目的とする衝突防止や忘れ物防止の機能を十分に発揮させることは難しい。
【先行技術文献】
【特許文献】
【０００６】
【特許文献１】特開２０１１−２０９３４２号公報
【発明の概要】
【発明が解決しようとする課題】
【０００７】
本発明の目的は、壁面に貼り付けたフレネルミラーの存在を気付かせる作用を高め、フレネルミラーが目的とする衝突防止や忘れ物防止などのミラー機能を十分に発揮させることができる広角視野型のフレネルミラー組立体を提供することにある。
【課題を解決するための手段】
【０００８】
上記目的を達成する本発明のフレネルミラー組立体は、壁面に貼り付けられる広角視野型のフレネルミラーと、このフレネルミラーの周縁部に配置されて前記壁面に貼り付けられる可撓性の付属シートとを備えたフレネルミラー組立体であって、前記付属シートの表面が有彩色であり、前記表面に目玉を有する左右一対の目が図示されると共に、それぞれの目の中において前記目玉が前記フレネルミラー側に偏在することを特徴とする。
【発明の効果】
【０００９】
本発明によれば、壁面に貼り付けられるフレネルミラーの周縁部に、目玉を有する左右一対の目が図示されている有彩色の付属シートが配置されているので、その有彩色の付属シートの存在によって通行人等にフレネルミラーの存在に対する注意心を強く喚起させることができる。しかも、図示されているそれぞれの目の中において目玉がフレネルミラー側に偏在しているので、通行人等の視線をその目玉が偏在する方向のフレネルミラーに誘導させることができる。この誘導効果は万人が認識可能な画像によるので、文字を読解できない人（幼児や外国人等）に対しても発揮されるので極めて汎用性が高い。これに伴って、フレネルミラーが目的とする衝突防止や忘れ物防止などのミラー機能を十分に発揮させることが可能になる。
【００１０】
左右一対の目のそれぞれの大きさは、その目に対する外接円の大きさでフレネルミラーの最小幅の２０％以上１００％以下にすることが好ましい。これにより、通行人等の視線をフレネルミラーに誘導する効果を一層向上することができる。
【００１１】
付属シートはフレネルミラーの全周を囲むように配置することが好ましい。付属シートがフレネルミラーの全周を囲むことにより、人の注意心のフレネルミラーへ誘導する作用が向上し、通行人等にフレネルミラーの存在に対する注意心をより一段と強く喚起させることができる。
【００１２】
フレネルミラーの全周を囲む付属シートは、フレネルミラーの周縁部に沿って複数のシート片に分割された構成にすることが好ましい。この構成により、シート片毎にフレネルミラーの各辺に正確に沿わせる貼り付けができ、付属シートにシワなどを発生させることなく効率よく貼り付けすることができる。また、帯状シート原材から付属シートを裁断する場合には、単一シートからなる付属シートの場合には、そのシート中央の開口部分から端材が廃棄分として生ずるが、このような端材の廃棄量を少なくする。また、搬送時の荷姿がコンパクトになるため、輸送コストを低減することができる。
【００１３】
フレネルミラーが四角形の場合には、付属シートをフレネルミラーの各辺に対応すると共に、その対応する辺の長さ以上の内縁長を有する４枚のシート片で構成するとよい。これにより、隣接するシート片の相互接続部がフレネルミラーの辺上に位置することがなく、必ず角部に位置させるようになるので、フレネルミラー組立体の外観を良好にする。
【図面の簡単な説明】
【００１４】
【図１】本発明のフレネルミラー組立体の第１実施形態を例示する正面図である。
【図２】図１のフレネルミラー組立体の設置状態を平面視で例示する説明図である。
【図３】図１のフレネルミラーを一部拡大して例示する縦断面図である。
【図４】図１の付属シートが裁断されるシート原材を例示する説明図である。
【図５】本発明のフレネルミラー組立体の第２実施形態を例示する正面図である。
【図６】本発明のフレネルミラー組立体の第３実施形態を例示する正面図である。
【図７】本発明のフレネルミラー組立体の第４実施形態を例示する正面図である。
【図８】図７のフレネルミラー組立体の設置状態を縦断面視で例示する説明図である。
【図９】図７のフレネルミラー組立体の設置状態を横断面視で例示する説明図である。
【図１０】本発明のフレネルミラー組立体を設置した手荷物用ビンの縦断面図である。
【発明を実施するための形態】
【００１５】
図１は、本発明の第１実施形態のフレネルミラー組立体１を例示する。このフレネルミラー組立体１は、例えば図２に示すように、通路１４ｂの側部に通路１４ａの前端が連結した屋内のＴ字路において垂直な平坦状の壁面１３に貼り付けられている。通路１４ａを矢印方向に進む通行人Ｈ１と通路１４ｂを矢印方向に進む通行人Ｈ２とが衝突を起こしやすい場所である。このフレネルミラー組立体１は、四角形の広角視野型のフレネルミラー２の外周縁部全体が、有彩色の表面を有し、かつその表面に後述する左右一対の目１０を図示した可撓性の付属シート９によって囲まれた構成になっている。フレネルミラー２や付属シート９を壁面１３に貼り付ける手段は特に限定されないが、好ましくは両面接着テープを使用するとよい。
【００１６】
広角視野型のフレネルミラー２とは凸面鏡機能を具備したフレネルミラーである。この実施形態のフレネルミラー２は、図３に例示するように透明樹脂板３の裏面にＶ字状断面を有する多数の径が異なる円環状溝４Ａが、中心ＣＬの周りに同心状に形成されている。
【００１７】
円環状溝４Ａは、傾斜面５ａと、隣り合う傾斜面５ａどうしを連結する段差とで構成されている。円環状溝４Ａの表面はアルミニウムなどの金属の反射層６により被覆され、さらに反射層６の表面は塗料などの樹脂からなる保護層７により被覆されている。保護層７の表面には両面接着テープなどの貼り付け層８が設けられる。
【００１８】
多数の径が異なる円環状溝４Ａは、その溝底（傾斜面５ａ）が透明樹脂板３の面方向に対してなす傾斜角度ａが、中心ＣＬから遠い位置の円環状溝４Ａの溝底（傾斜面５ａ）ほど大きくなるように順次変化している。つまり、溝底（傾斜面５ａ）を被覆する反射層６の傾斜角度ａが中心ＣＬから遠い位置の反射層６ほど順次大きくなるように変化している。このように円環状溝４Ａの溝底（傾斜面５ａ）の反射層６の傾斜角度ａが変化しているため、フレネルミラー２は表面側から入射する光に対して凸面鏡として機能する。この実施形態では、フレネルミラー２は平面視形状が四角形であるが、五角形、六角形、八角形、円形、楕円形等の様々な形状を採用することができる。
【００１９】
付属シート９としては、例えば、ポリ塩化ビニル、ポリエチレン、ポリウレタン、ポリアミド、ポリエステル等の可撓性の樹脂シートが好ましい。付属シート９は可撓性であるため、フレネルミラー２が貼り付けられる壁面１３の形状に追従して、良好に貼り付けることができる。尚、フレネルミラー２の厚さ（透明樹脂板３、反射層６および保護層７の総厚さ）および付属シート９の厚さは、好ましくは０．０１ｍｍ〜２．０ｍｍ、さらに好ましくは０．０１ｍｍ〜１．０ｍｍである。ただし、両者は必ずしも同一厚さである必要はなく、互いに異なる厚さであってもよい。
【００２０】
付属シート９の表面は有彩色であり、その表面には目玉１０ａを有する左右一対の目１０が図示されている。それぞれの目１０の中において目玉１０ａがフレネルミラー２側に偏在している。この実施形態では、図示された目１０の形状が、注意心の引付け強化のため実際の目からデフォルメされた円形であるが、円形に限らず楕円形、紡錘形など他の形状を採用することもできる。また、実施形態では、左右一対の目１０を互いに接触させているが、互いに離間させるようにしたものであってもよい。また、左右一対の目１０の配置は、１箇所だけでなく複数箇所に配置することもできる。
【００２１】
図示された目１０の大きさはそれぞれ、その目１０に対する外接円の大きさでフレネルミラー２の最小幅の２０％以上１００％以下にするとよい。２０％以上にすると、左右一対の目１０に対する注意心の引付け作用が一層向上する。１００％を超えると、引付け作用がほぼ飽和する一方で、付属シート９の材料使用量が不必要に増加する。ここで、フレネルミラー２の最小幅とは、フレネルミラー２が長方形の場合は短辺の長さであり、正方形の場合は一辺の長さである。フレネルミラー２が楕円形の場合は短軸の長さであり、円形の場合は直径である。フレネルミラー２がその他の形状の場合は、その外形状に対する内接円のうち最小の内接円の直径を意味する。
【００２２】
付属シート９の表面の有彩色は彩度の高いものがよい。例えば、緑、黄、橙、赤、青などの有彩色を用いる。目１０を図示する色は、特に限定されないが、好ましくは付属シート表面の有彩色の中に白抜きにして表わすとよい。また、目玉１０ａの色は、白の反対色である黒で表わすとよい。
【００２３】
付属シート９の表面には上述した目１０、目玉１０ａの他に、「衝突防止ミラー」、「衝突注意！」などの警告文１２を表記することもできる。警告文１２は、日本語、英語、フランス語、ドイツ語、イタリア語、スペイン語、ポルトガル語、中国語など、様々な言語を単独で表記または複数言語を併記することができる。
【００２４】
付属シート９は単一シートだけの構成であってもよいが、図１の実施形態のように、複数に分割されたシート片の組合せで構成してもよい。実施形態では、四角形のフレネルミラー２の４辺に対して、付属シート９がフレネルミラー２の上辺に隣接するシート片９ａと、下辺に隣接するシート片９ｂと、左辺に隣接するシート片９ｃと、右辺に隣接するシート片９ｄとの４枚で構成され、これらのシート片９ａ〜９ｄがフレネルミラー２の周縁部全周を囲んでいる。これらシート片９ａ〜９ｄは、フレネルミラー２に隣接する内縁長が、それぞれが対応するフレネルミラー２の辺の長さ以上になるように形成されている。これにより、隣り合うシート片の相互接続部をフレネルミラー２の角部に位置させるようになり、辺の途中に位置しないようにするので、それによりフレネルミラー組立体１の外観を良好にするようになっている。
【００２５】
付属シート９が単一シートだけの構成である場合は、フレネルミラー２の周囲に貼り付けるとき、シート中央の開口部分をフレネルミラー２の外周に位置合わせしながら、シワなどを発生しないように貼り付けることは非常に難しい。しかし、この実施形態のように付属シート９を複数の分割されたシート片９ａ〜９ｄで構成すれば、これらの不具合を回避し易くなる。
【００２６】
複数のシート片９ａ〜９ｄに分割された付属シート９を、複数セットの単位で製作するときは、図４に例示するように、帯状のシート原材１１の表面にパソコンやインクジェットプリンター等を使用して各シート片９ａ〜９ｄを長手方向に接触積み重ねて印刷し、それらを裁断して製作する。廃棄される端材は図４の斜線箇所程度であり、少なく抑制して製作することができる。一方、単一シート構成の付属シート９を、同じく複数セットを帯状シート原材の長手方向に接触積み重ねるように印刷すると、１セット当たりの長手方向に占める長さが、複数のシート９ａ〜９ｄからなる付属シート９に比べて長いだけでなくなる。その上に単一シートの付属シート９では、シート中央の開口部分が端材として廃棄されるので、複数のシート９ａ〜９ｄからなる付属シート９に比べて帯状シート原材の使用量が多くならざるを得ない。したがって、複数のシート片９ａ〜９ｄからなる付属シート９は、単一シートの付属シート９に比べて省コスト化や省資源化を図ることができる。また、複数のシート片９ａ〜９ｄからなる付属シート９は、コンパクトな荷姿に梱包できるので、輸送コストを低減化することもできる。
【００２７】
第１の実施形態のフレネルミラー組立体１は、付属シート９をフレネルミラー２の全周を囲むように配置しているが、全周のうち一部だけに配置したものであってもよい。図５および図６にそれぞれ第２実施形態および第３実施形態として例示するフレネルミラー組立体１は、第２実施形態ではフレネルミラー２の下辺だけに付属シート９を配置し、また第３実施形態ではフレネルミラー２の右辺だけに付属シート９を配置している。また第３実施形態では、付属シート９の表面に図示された目１０に対してまつ毛が図示されている。まつ毛を図示することによって、図示された目１０が一段と目を表現していると視認され易くなる。
【００２８】
図７は、本発明の第４実施形態のフレネルミラー組立体１を例示する。このフレネルミラー組立体１は、図８および図９に示すように、平面状の壁面に貼り付けられるのではなく、複数の通路が連結する場所に立設された円柱１６の円周面に貼り付けられている。この設置場所は、第１実施形態のＴ字路と同様に、複数の通路から進行してくる通行人同士が衝突を起こしやすい環境にある。
【００２９】
フレネルミラー組立体１は、フレネルミラー２の構造に後述する違いはあるが、その他は１〜３実施形態と実質的に同じ構成である。すなわち、フレネルミラー２の上辺と下辺とに付属シート９（シート片９ａ、９ｂ）を配置し、その付属シート９（シート片９ａ、９ｂ）は表面が有彩色であり、その表面にフレネルミラー２側に偏在する目玉１０ａを有する左右一対の目１０が図示されている。尚、この第４実施形態では、左右一対の目１０がフレネルミラー２を挟んで上下２箇所に配置されている。
【００３０】
この実施形態のフレネルミラー組立体１が円柱１６の外周壁面１３ａに貼り付けられているため、複数の通路から連結場所に向かう通行人は、円柱１６上のフレネルミラー組立体１の有彩色の付属シート９、その表面に図示された左右一対の目１０および目玉１０ａの誘導によって、左右一対の目玉１０ａが指し示す方向のフレネルミラー２の存在に気付くため、そのフレネルミラー２上の映像を確認する。したがって、他方の通路からやって来る通行人との衝突を防止することができる。
【００３１】
第４実施形態のフレネルミラー２は、上述したように第１実施形態のフレネルミラー２とは少し構造が違っている。前者のフレネルミラー２では、後者のフレネルミラーにおける多数の同心円状の円環状溝４Ａが、多数の平行配列すると共に、中心線ＨＬに対して傾斜面５ａを互いに逆方向に傾斜する直線状溝４Ｂに置き換わっている。したがって、第４実施形態のフレネルミラー２は、上下方向（直線状溝４Ｂに直交する方向）の視野Ｃ１が広角になっているが、左右方向（直線状溝４Ｂに平行な方向）の視野は平面鏡と同じになっている。しかし、第４実施形態のフレネルミラー２は、図８および図９のように、直線状溝４Ｂがその延在方向を円柱１６の円周方向に沿わせて巻き付けられているため、左右方向にも広角視野Ｃ２が得られる。
【００３２】
図１、図５、図６に例示した本発明の第１，２，３実施形態の各フレネルミラー組立体１は、図１０に示すように、旅客航空機、旅客列車、旅客バスなどの乗り物の座席上方に設置された手荷物用のビン１５に対して、内側の天井壁面１３ｂに忘れ物防止手段として貼り付けることもできる。身長が低いためビン１５の奥側を直接見ることができない乗客は、天井壁面１３ｂに貼り付けられたフレネルミラー２を斜め下方から見上げることにより、そのフレネルミラー２の映像を介してビン１５の奥側を確認することができる。
【００３３】
このフレネルミラー組立体１が、手荷物用のビン１５の天井壁面１３ａに対して、開口１５ａ側にフレネルミラー２を配置し、そのフレネルミラー２の奥側に目１０を配置するようにして貼り付けられている。警告文１２としては、「忘れ物ご注意」、「忘れ物防止ミラー」などが付属シート９の表面に表記される。
【００３４】
上述のビン１５に設置したフレネルミラー組立体１においても、既述した実施形態の場合と同様に、表面が有彩色の付属シート９と、その表面に図示された左右一対の目１０および目玉１０ａによる誘導作用により、人の注意をフレネルミラー２の存在に気付かせるので、手荷物の置き忘れを防止することができる。
【００３５】
以上説明した各実施形態のフレネルミラー組立体１は、フレネルミラー２を新設する場合だけでなく、道路のＴ字路やＬ字路の壁面や、航空機等の手荷物入れの内壁などに貼り付けられた既設のフレネルミラー２に対して、付属シート９を追加貼り付けする場合にも使用することができる。
【符号の説明】
【００３６】
１  フレネルミラー組立体
２  フレネルミラー
３  透明樹脂板
４Ａ  円環状溝
４Ｂ  直線状溝
５ａ  傾斜面
６  反射層
７  保護層
８  貼り付け層
９  付属シート
９ａ、９ｂ、９ｃ、９ｄ  シート片
１０  図示された目
１０ａ  図示された目玉
１１  シート原材
１２  警告文
１３、１３ａ、１３ｂ  壁面
１４ａ、１４ｂ  通路
１５  ビン
１５ａ  開口
１６  円柱
ａ  傾斜角度
Ｈ１、Ｈ２  通行人
【図１】
2017090749.tif 000003
【図２】
2017090749.tif 000004
【図３】
2017090749.tif 000005
【図４】
2017090749.tif 000006
【図５】
2017090749.tif 000007
【図６】
2017090749.tif 000008
【図７】
2017090749.tif 000009
【図８】
2017090749.tif 000010
【図９】
2017090749.tif 000011
【図１０】
2017090749.tif 000012